(57)【要約】  ツーリングシステムで用いられるエレメントであって、アレイ状に配置されている複数のエレメントを備え、このアレイのこれらエレメントが、互いに接触しかつしかるべき位置に固定される閉鎖位置と互いに離れて配置されかつ互いに対して縦方向に移動可能である開放位置との間で移動可能であり、このエレメントは、固有の識別子をこのエレメントに付与するタグ付け手段を備えていることを特徴とする。このタグ付け手段は、無線周波数識別（ＲＦＩＤ）タグを備えるのが好ましい。
2008525203.tif 000002
【特許請求の範囲】
【請求項１】
ツーリングシステムで用いられるエレメントであって、アレイ状に配置された複数のエレメントを備え、このアレイの複数のエレメントが、互いに接触しかつしかるべき位置に固定される閉鎖位置と、互いに離れて配置されかつ互いに対して縦方向に移動可能である開放位置との間で移動可能である、エレメントであって、固有の識別子をこのエレメントに付与するタグ付け手段を備えることを特徴とするエレメント。
【請求項２】
前記タグ付け手段が、ＲＦＩＤ（無線周波数識別）タグを含む、請求項１に記載のエレメント。
【請求項３】
前記ＲＦＩＤタグが、前記エレメントの表面に取り付けることによって前記エレメントに固定される、請求項２に記載のエレメント。
【請求項４】
前記ＲＦＩＤタグが、前記エレメントに設けられたポケットの内部に配置される、請求項２に記載のエレメント。
【請求項５】
前記タグ付け手段が、製造過程で前記エレメントに挿入される、請求項１から４のいずれか一項に記載のエレメント。
【請求項６】
前記タグ付け手段が、前記エレメントの１つの表面に刻印されたバーコードを含む、請求項１に記載のエレメント。
【請求項７】
前記エレメントの１つ以上の面を、視覚的に読み取り可能な識別子で被覆することができる、請求項１から６のいずれか一項に記載のエレメント。
【請求項８】
前記視覚的に読み取り可能な識別子が、色コーディングまたは他の識別用マーキングを含む、請求項７に記載のエレメント。
【請求項９】
前記タグ付け手段が前記エレメント上に置かれ、これにより、前記タグ付け手段が、前記アレイの組み立ての最中におよび／または前記エレメントが前記組み立てられたアレイ内に配置されるときに、前記ツーリングシステムの制御システムにリンクされた自動読取装置によって走査されることが可能となる、請求項１から８のいずれか一項に記載のエレメント。
【請求項１０】
テーパ部で機械加工可能な部分から遠く離れた端部で終端する、請求項１から９のいずれか一項に記載のエレメント。
【請求項１１】
前記テーパ部がネジ部に隣接して置かれ、前記ネジ部が、前記アレイのクロスレールのネジ穴と協働するようになっている、請求項１０に記載のエレメント。
【請求項１２】
内部加熱素子を、前記加熱素子を電源に接続する手段とともに備える、請求項１から１１のいずれか一項に記載のエレメント。
【請求項１３】
前記エレメントの長手方向軸と実質的に平行に延長する貫通穴が備えられ、前記貫通穴が、前記機械加工可能部分から遠く離れた前記貫通穴の端部で、正もしくは負の圧力源に接続されるようになっているか、または、排出装置を収納することができる、請求項１から１２のいずれか一項に記載のエレメント。
【請求項１４】
冷却用の流体のソースに接続されるようになっている冷却用または加熱用の内部チャネルのネットワークを備える、請求項１から１３のいずれか一項に記載のエレメント。
【請求項１５】
スプルーブッシュまたは１つ以上のセンサをさらに備える、請求項１から１４のいずれか一項に記載のエレメント。
【請求項１６】
必要なコンポーネント部品をすべて有する前記エレメントの完成品が１つの過程で形成される鋳造過程で製造された、請求項１から１５のいずれか一項に記載のエレメント。
【請求項１７】
伸縮自在の支持体を備える、請求項１から１６のいずれか一項に記載のエレメント。
【請求項１８】
アレイ状に配置された複数のエレメントを備えるツーリングシステムであって、このアレイの複数のエレメントが、互いに接触しかつしかるべき位置に固定される閉鎖位置と、互いに離れて配置されかつ互いに対して縦方向に移動可能である開放位置との間で移動可能であるツーリングシステムであり、前記アレイの複数のエレメントの内の１つ以上が、請求項１から１６のいずれか一項に記載のエレメントを備えることを特徴とする、ツーリングシステム。
【請求項１９】
破片が、前記システムの、前記クロスレールが置かれているエリアに進入するのを防止する手段をさらに備える、請求項１８に記載のツーリングシステム。
【請求項２０】
前記エレメントがネジ部を備え、前記エレメントを調整する際に前記ネジ部を洗浄する手段をさらに備える、請求項１８または１９に記載のツーリングシステム。
【請求項２１】
前記タグ付け手段と併せて用いて、前記ピンの寿命履歴を記録する中央制御システムをさらに備える、請求項１８から２０のいずれか一項に記載のツーリングシステム。
【請求項２２】
前記中央制御システムが、前記ツーリングシステムの内部に配置される、請求項２１に記載のツーリングシステム。
【請求項２３】
前記中央制御システムが、前記ツーリングシステムから遠く離れた場所に配置される、請求項２１に記載のツーリングシステム。
【請求項２４】
ピンの割り当てを最適化してピンを最大限に利用するために前記寿命履歴に関する情報が用いられる、請求項１９から２３のいずれか一項に記載のツーリングシステム。
【請求項２５】
前記エレメントの相対的長手方向位置を調整する手段にまたは別個の走査台に配置された前記タグ付け手段を読み取る読取装置をさらに備える、請求項１８から２４のいずれか一項に記載のツーリングシステム。
【発明の詳細な説明】
【技術分野】
【０００１】
本発明は、ツーリングシステムで用いられる改良型のコンポーネントおよびこのコンポーネントを含む改良型のツーリングシステムに関する。
【背景技術】
【０００２】
本改良型コンポーネントは、特に、国際公開公報第０２／０６４３０８号に記載され特許請求されているツーリングシステムで用いるのに適している。
【０００３】
国際公開公報第０２／０６４３０８号には、アレイ状に配置されている複数のエレメントを備えるツーリングシステムが記載され特許請求されている。各エレメントは、このアレイ中の他のエレメントに対して長手方向に移動可能であり、また、第１の端部を有する。さらにこのシステムは、これらのエレメントの相対的長手方向位置を調整することで、これらエレメントの自由端部がほぼ所望通りの表面輪郭を画定するようにする手段と、これらエレメントをこれらの調整された位置に保持する手段とを備え、各エレメントの第１の端部がベース部分に移動可能に取り付けられている機械加工可能な部分に備えられ、これらエレメントの自由端部を機械加工して所望の表面輪郭を形成するように配置されていることを特徴とする。
【０００４】
さらに、国際公開公報第０２／０６４３０８号には、アレイ状に配置されている複数のエレメントと駆動手段とを備えるツーリングシステムであって、上記アレイの複数のエレメントが、互いに接触しかつしかるべき位置に固定される閉鎖位置と、互いに離れて配置され、互いに対して縦方向に移動可能である開放位置との間で移動可能であり、上記駆動手段がこのアレイを開放したり閉鎖したりするツーリングシステムが記載され特許請求されている。これらのエレメントは、サポートレールに取り付けられて、アレイを形成する。
【発明の開示】
【課題を解決するための手段】
【０００５】
本発明の目的は、このようなアレイで用いられる改良型のエレメントを提供することにある。本発明は、アレイ状に配置されている複数のエレメントを備えるツーリングシステムであって、このアレイのこれら複数のエレメントが、互いに接触しかつしかるべき位置に固定される閉鎖位置と、互いに離れて配置されかつ互いに対して縦方向に移動可能である開放位置との間で移動可能であるツーリングシステムであり、このアレイのこれらエレメントの内の１つ以上が、これらエレメントに固有の識別子を付与するタグ付け手段を備えることを特徴とする、ツーリングシステムを提供する。
【０００６】
さらに本発明は、ツーリングシステムで用いられるエレメントであって、アレイ状に配置されている複数のエレメントを備え、このアレイのこれら複数のエレメントが、互いに接触しかつしかるべき位置に固定される閉鎖位置と、互いに離れて配置されかつ互いに対して縦方向に移動可能である開放位置との間で移動可能であるエレメントであり、固有の識別子をこのエレメントに付与するタグ付け手段を備えることを特徴とする、エレメントを提供する。
【０００７】
本発明のある好ましい実施形態では、このタグ付け手段は、無線周波数識別（ＲＦＩＤ）タグを備え、このタグは、任意の適当な手段によってエレメントに固定され、たとえば、エレメントの表面に取り付けられるかまたはエレメントに備えられたポケットの内部に配置される。
【０００８】
このタグ付け手段がＲＦＩＤタグである場合、製造過程でエレメントに挿入されるのが望ましい。
【０００９】
本発明の代替の好ましい実施形態では、タグ付け手段は、エレメントの表面に刻印されたバーコードを備えてもよい。
【００１０】
エレメントの１つ以上の面には、視覚的に読み取り可能な識別子、たとえば、色コーディングまたは他の識別用のマーキングをつけてもよい。
【００１１】
タグ付け手段はエレメント上に置かれ、これにより、タグ付け手段を、アレイの組み立ての最中におよび／またはエレメントが組み立てられたアレイ内に配置されるときに、ツーリングシステムの制御システムにリンクされている自動読取装置によって走査できるようにするのが好ましい。この読取装置は、エレメントの相対的長手方向位置を調整する手段上か、または、別個の走査台に適切に位置される。
【００１２】
本発明に関わるエレメントは、クロスレール上に組み立てられて、個々に、またはマガジンもしくはカートリッジという形態で供給されるのが望ましい。
【００１３】
本発明に関わるエレメントは、クロスレールのネジ穴と協働するように適合されているネジ部に好ましく隣接しているテーパ部で機械加工可能な部分から遠端にある端部を成端するのが好ましい。
【００１４】
本発明の別の好ましい実施形態では、エレメントは、内部加熱素子と、この加熱素子を電源に接続する手段とともに備える。
【００１５】
本発明の別の好ましい実施形態では、エレメントは、このエレメントの長手方向軸と実質的に平行に延長する貫通穴を備えるが、これらの貫通穴は、機械加工可能部分から遠端にある端部で、負もしくは正の圧力源に接続されるようになっているか、または、排出装置を収納してもよい。
【００１６】
本発明のさらに別の好ましい実施形態では、エレメントは、加熱用または冷却用の流体のソースに接続されるようになっている内部チャネルのネットワークを備えても良い。
【００１７】
エレメントはまた、スプルーブッシュまたは１つ以上のセンサを備えている。
【００１８】
本発明に関わるエレメントのさらに別の好ましい実施形態では、エレメントは伸縮自在の支持体を備える。
【００１９】
本発明に関わるエレメントは、必要なコンポーネント部品をすべて有するエレメントの完成品が１つの過程で形成される鋳造過程で製造されるのが好ましい。
【００２０】
本発明に関わるツーリングシステムは、破片、特に、エレメントの機械加工可能部分の機械加工によって発生した破片が、本システムの、クロスレールが置かれているエリアに進入するのを防止する手段をさらに備えるのが好ましい。
【００２１】
本発明に関わるエレメントがネジ部を備える場合、本発明に関わるツーリングシステムは、このエレメントを調整する際にネジ部を洗浄する手段、たとえば、クリーニング膜をさらに備えるのが好ましい。
【００２２】
本発明に関わるツーリングシステムは、タグ付け手段と併せて用いて、ピンの寿命履歴を記録し、この寿命履歴に関するこの情報を用いて、ピンを最大限に利用するためにピンの割り当てを最適化する中央制御システムをさらに備えるのが好ましい。
【００２３】
ツーリングシステム中でタグ付け手段を備える本発明に関わるエレメントを用いると、多くの利点が生じる。
【００２４】
特に、操作者は、アレイ内部におけるピンの方向性と個々のピンの位置をデータベースに照らし合わせてチェックし、したがって、特に、各機械で用いられる材料がこの特定のシステムの設計限界を超えないことを保証することが可能である。
【００２５】
また、操作者は、使用されているエレメントのタイプ、サイズおよびジオメトリ（ＧＥＯＭＥＴＲＹ）を検証する、すなわち、機械ツールが「衝突」しないことを保証することが可能である。
【００２６】
また、操作者は、ピンの高さが中央制御装置に記憶されているとおりであることを検証し、表面がピンに接近していることをコンピュータ支援製造（ＣＡＭ）のストックファイルが表していない場合に、衝突を防ぐことが可能である。
【００２７】
タグ付け手段と中央制御システムを備えることによって、ツーリングシステムの製造業者または供給業者は、次の方法を含む多くの方法で操作者をサポートすることができる。
・操作者がストックを使い果たすにつれて、消耗エレメントを自動的に補充
・個別原価計算システムごとのオンラインまたはローカルでの料金請求
・利用を正確に検証して、低コストまたは無料で機械を供給し、使用ごとに課金
・ユーザ別の統計を作成して、運用コストの最小化を支援
・特定のジオメトリではなく必要とされる材料の分量を分析することによって、オンラインでジョブを見積り
・地理的に離れたサイト同士間で閲覧可能な共有オンラインツール設計。
【発明を実施するための最良の形態】
【００２８】
本発明に関わるツーリングシステムとエレメントを、以下の図面を参照して説明する。
【００２９】
図１ａから分かるように、一般に１０で示されるエレメントは、機械加工可能なピン部分２、支持部分４およびテーパ部６を備える。ＲＦＩＤタグ８は、ピン部分２の内部にピン部分２の１つの側壁と同一平面上で取り付けられる。支持部分４の直線部分は、ネジ部１２を形成しテーパ部６に隣接して終端している。
【００３０】
図１ｂと図１ｃに示す別の実施形態では、クロスレール１４に取り付けられたエレメント１０を示す図１ｃから分かるように、ＲＦＩＤタグ８は、ピン２のベースの内部に取り付けられ、このベース上で目に見える。
【００３１】
図１ｄに示す別の実施形態では、ＲＦＩＤタグ用のポケット１６はピン２のベースに備えられる。
【００３２】
本発明に関わるエレメントはマガジンの中に備えられることが可能であり、これらのエレメントは、図２に示すように、クロスレール１４上に載置されている。
【００３３】
図３に、コネクタ２０によって電源に接続することが可能な内部ヒータ１８を備えた、本発明に関わるエレメントの別の実施形態を示す。ＲＦＩＤタグは図示しない。
【００３４】
図４に、正または負の圧力源に接続されているパイプ２４に接続することが可能な通気口２６で終端する貫通穴と溝２２を備えた、本発明に関わるエレメントの別の実施形態を示す。ＲＦＩＤタグは図示しない。
【００３５】
図５に、加熱用または冷却用の流体をポンプ注入することを可能とするオフセットチャネル２８、３０、３２のネットワークを備えた、本発明に関わるエレメントのさらに別の実施形態を示す。ＲＦＩＤタグは図示しない。
【００３６】
図６に、エレメントのピン部分の1つの側壁に刻印されたバーコード３２によって固有の識別子が与えられる、本発明に関わるエレメントのさらに別の実施形態を示す。このバーコードにはまた、エレメントが消耗するにつれてその高さが記載される。図７に示す実施形態は色付き面３４をさらに含んでおり、この色付き面によって、操作者は、アレイ中のすべてのエレメントが正しく整列していることを確かめるために目視検査を実施することができる。
【００３７】
図８ａと図８ｂでは、エレメントの相対的長手方向位置を調整する手段の代替の設計を、フォーク３６という形態で示す。フォーク３６の歯は、複数の走査ヘッド３８を備えるが、これらのヘッドは、アレイエレメント１０に取り付けられているＲＦＩＤタグ８を走査するため、図８ａに示すように歯の先端にあるか、または、図８ｂに示すように１つ以上の歯の全長に沿って配置される。
【００３８】
図９は、図８ａのフォークがエレメント１０で使用されている様子を示す。
【００３９】
ＲＦＩＤピン走査台を図１０に示す。一般に４０で示すツーリングシステムは、消耗モジュール４２とドライバモジュール４４を備える。消耗モジュール４２は、クロスレール１４のアレイによって支持され、増強手段５２によって保持されている複数のエレメント１０を含む。４６および４８にそれぞれＸ軸およびＹ軸を示し、５０にＺ（すなわちフォーク）軸を示す。一般的に５４に示す走査台は、走査アンテナ５６を含む。
【００４０】
図１０に示すＲＦＩＤピン走査台のプロセスフローは次の通りである。
【００４１】
【数１】
2008525203.tif 000003
【００４２】
図８と図９に示すＲＦＩＤピン走査フォークのプロセスフローは次の通りである。
【００４３】
【数２】
2008525203.tif 000004
【００４４】
ＲＦＩＤピンプロセスフローは次の通りである。
【００４５】
【数３】
2008525203.tif 000005
【００４６】
図１１に示すような本発明に関わるツーリングシステムは、ネジ棒支持体１１０６によってクロスレール１１０４に取り付けられている複数のエレメント１１０２を備えている。クリーニングブレードまたはクリーニングディスクという形態を有するネジクリーナ１１０８は、クロスレール１１０４上に置かれて、エレメントが上下する間にネジ棒のネジを洗浄する。
【００４７】
図１２に示すような本発明に関わるツーリングシステムは、ネジ棒支持体１２０６によってクロスレール１２０４に取り付けられている複数のエレメント１２０２を備えている。膜１２０８は、クロスレールの上方の消耗モジュールのベッドの全エリアを覆っており、これにより、ツーリングシステムの、クロスレールが置かれているエリアに破片が進入するのを防いでいる。膜１２０８には適切にプリーツが付いており、これにより、クロスレールが相対的に移動できるようになっている。
【００４８】
図１３に示すような本発明に関わるエレメントの製造用の鋳造ジグは、一般に１３１０で示され、開放モジュール１３０２が備えられ、この開放モジュール１３０２の上部壁１３０４の上方に、支持ジグ１３０６が取り付けられている。貫通アパーチャ１３０８が、ネジ棒支持体１３１４を受容するためにジグ１３０６の水平方向アーム１３１２に設けられる。ロックナット１３１６が、ネジ棒支持体１３１４の下方端部に近接して配置される。ネジ棒支持体１３１４の下方端部は、溝付きロックセクション１３１８で終端する。動作中、ネジ棒支持体１３１４は、その下方端部がモールド１３０２中に延長している状態で支持ジグ１３０６に取り付けられる。図１３に示す実施例では、複数のだぼ１３２０がモールド１３０２の内部で垂直に置かれている。樹脂１３２２が、所望のレベルに達するまで周知の仕方でモールド１３０２中に供給される。次に、この樹脂は硬化し、だぼが取り除かれ、鋳造されたエレメントがモールド１３０２から外される。ロックナット１３１６と溝付きロックセクション１３１８の機能は、このエレメントがツーリングシステムに組み立てられて縦方向に調整される際に、支持体１３１４とモールドされた部分とが分離することを防ぐことである。
【００４９】
ＲＦＩＤタグ、１つ以上の加熱用素子および／または１つ以上の他のモールドコアなどの他の必要とされる素子がモールド過程に組み入れられることが理解されるであろう。
【００５０】
図１４に示す本発明に関わるエレメントは、高さの調整のために伸縮自在の支持体１４０４によってクロスレール１４上に支持されているエレメント１４０２を備える。この伸縮自在の支持体１４０４は、右巻きと左巻きに交互にネジの付いた同軸状に配置された１連の素子を含む。
【図面の簡単な説明】
【００５１】
【図１ａ】ＲＦＩＤタグをポケットに配置する、本発明に関わるエレメントの第１の実施形態の側面図である。
【図１ｂ】ＲＦＩＤタグをポケットに配置する、本発明に関わるエレメントの第２の実施形態の側面図である。
【図１ｃ】クロスレール中に取り付けられた図１ｂのエレメントを下から見た平面図である。
【図１ｄ】ＲＦＩＤタグをポケットに配置する、本発明に関わるエレメントの第３の実施形態の側面図である。
【図２】マガジンとして供給された本発明に関わる複数のエレメント（ＲＦＩＤ、図示せず）の側面図である。
【図３】ヒータを備えた本発明に関わるエレメント（ＲＦＩＤ、図示せず）の第４の実施形態を下から見た側面図と平面図である。
【図４】貫通穴とサイドチャネルを備えた本発明に関わるエレメント（ＲＦＩＤ、図示せず）の第５の実施形態を下から見た側面図と平面図である。
【図５】チャネルのネットワークを備えた本発明に関わるエレメント（ＲＦＩＤ、図示せず）の第６の実施形態を下方から見た側面図と平面図である。
【図６】バーコードを有する本発明に関わるエレメントの第７の実施形態の側面図である。
【図７】バーコードと色コーディングされた側面を有する本発明に関わるエレメントの第８の実施形態の側面図である。
【図８ａ】ＲＦＩＤタグ用の読取装置を固定したエレメントの相対的長手方向位置を調整する手段の代替設計の側面図である。
【図８ｂ】ＲＦＩＤタグ用の読取装置を固定したエレメントの相対的長手方向位置を調整する手段の代替設計の側面図である。
【図９】図１ａに関わるエレメントを調整目的で内部に保持した図８ａの手段の側面図である。
【図１０】ＲＦＩＤ走査台を含むツーリングシステムの平面図である。
【図１１】アレイエレメントのネジに破片が進入するのを防止する手段をさらに備える、本発明にかかわるツーリングシステムの実施形態の側面図である。
【図１２】システムの、クロスレールが置かれているエリアに破片が進入するのを防止する手段をさらに備える、本発明に関わるツーリングシステムの実施形態の側面図である。
【図１３】必要なコンポーネント部品をすべて有するエレメントの完成品が１つのプロセスで形成される鋳造ジグの側面図である。
【図１４】伸縮自在の支持体を備えた本発明に関わるエレメントを下から見た側面図と平面図である。
【図１ａ】
2008525203.tif 000006
【図１ｂ】
2008525203.tif 000007
【図１ｃ】
2008525203.tif 000008
【図１ｄ】
2008525203.tif 000009
【図２】
2008525203.tif 000010
【図３】
2008525203.tif 000011
【図４】
2008525203.tif 000012
【図５】
2008525203.tif 000013
【図６】
2008525203.tif 000014
【図７】
2008525203.tif 000015
【図８ａ】
2008525203.tif 000016
【図８ｂ】
2008525203.tif 000017
【図９】
2008525203.tif 000018
【図１０】
2008525203.tif 000019
【図１１】
2008525203.tif 000020
【図１２】
2008525203.tif 000021
【図１３】
2008525203.tif 000022
【図１４】
2008525203.tif 000023
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
ツーリングシステムで用いられるエレメントであって、アレイ状に配置された複数のエレメントを備え、このアレイの複数のエレメントが、互いに接触しかつしかるべき位置に固定される閉鎖位置と、互いに離れて配置されかつ互いに対して縦方向に移動可能である開放位置との間で移動可能であるエレメントであり、固有の識別子をこのエレメントに付与するタグ付け手段を備え、前記タグ付け手段が、前記アレイ内部での、前記個々のエレメントの方向付けと位置とを特定する情報を有することを特徴とするエレメント。
【請求項２】
前記タグ付け手段が、前記エレメントの中心から片寄っている、請求項１に記載のエレメント。
【請求項３】
前記タグ付け手段が、前記エレメントの表面に備えられる、請求項１または２に記載のエレメント。
【請求項４】
前記エレメントが機械加工可能部分を有し、前記タグ付け手段が、前記エレメントのジオメトリを特定する情報を有する、請求項１から３のいずれか一項に記載のエレメント。
【請求項５】
前記タグ付け手段が、前記アレイの内部における前記個々のエレメントの高さを特定する情報を有する、請求項１から４のいずれか一項に記載のエレメント。
【請求項６】
前記タグ付け手段が、ＲＦＩＤ（無線周波数識別）タグを含む、請求項１から５のいずれか記載のエレメント。
【請求項７】
前記ＲＦＩＤタグが、前記エレメントに設けられたポケットの内部に配置される、請求項６に記載のエレメント。
【請求項８】
前記タグ付け手段が、製造過程で前記エレメントに挿入される、請求項１から７のいずれか一項に記載のエレメント。
【請求項９】
前記タグ付け手段が、前記エレメントの1つの表面上に刻印されたバーコードを含む、請求項１から５のいずれか一項に記載のエレメント。
【請求項１０】
前記エレメントの１つ以上の面を、視覚的に読み取り可能な識別子で被覆することができる、請求項１から９のいずれか一項に記載のエレメント。
【請求項１１】
前記視覚的に読み取り可能な識別子が、色コーディングまたは他の識別用マーキングを含む、請求項１０に記載のエレメント。
【請求項１２】
前記タグ付け手段が前記エレメント上に置かれ、これにより、前記タグ付け手段が、前記アレイの組み立ての最中におよび／または前記エレメントが前記組み立てられたアレイ内に配置されるときに、前記ツーリングシステムの制御システムにリンクされた自動読取装置によって走査されることが可能となる、請求項１から１１のいずれか一項に記載のエレメント。
【請求項１３】
テーパ部で機械加工可能な部分から遠く離れた端部で終端する、請求項１から１２のいずれか一項に記載のエレメント。
【請求項１４】
前記テーパ部がネジ部に隣接して置かれ、前記ネジ部が、前記アレイのクロスレールのネジ穴と協働するようになっている、請求項１３に記載のエレメント。
【請求項１５】
内部加熱素子を、前記加熱素子を電源に接続する手段とともに備える、請求項１から１５のいずれか一項に記載のエレメント。
【請求項１６】
前記エレメントの長手方向軸と実質的に平行に延長する貫通穴が備えられ、前記貫通穴が、前記機械加工可能部分から遠く離れた前記貫通穴の端部で、正もしくは負の圧力源に接続されるようになっているか、または、排出装置を収納することができる、請求項１から１５のいずれか一項に記載のエレメント。
【請求項１７】
冷却用の流体のソースに接続されるようになっている冷却用または加熱用の内部チャネルのネットワークを備える請求項１から１６のいずれか一項に記載のエレメント。
【請求項１８】
スプルーブッシュまたは１つ以上のセンサをさらに備える、請求項１から１７のいずれか一項に記載のエレメント。
【請求項１９】
必要なコンポーネント部品をすべて有する前記エレメントの完成品が１つの過程で形成される鋳造過程で製造された、請求項１から１８のいずれか一項に記載のエレメント。
【請求項２０】
伸縮自在の支持体を備える、請求項１から１９のいずれか一項に記載のエレメント。
【請求項２１】
アレイ状に配置された複数のエレメントを備えるツーリングシステムであって、このアレイの複数のエレメントが、互いに接触しかつしかるべき位置に固定される閉鎖位置と、互いに離れて配置されかつ互いに対して縦方向に移動可能である開放位置との間で移動可能であるツーリングシステムであり、前記アレイの複数のエレメントの内の１つ以上が、請求項１から１６のいずれか一項に記載のエレメントを備えることを特徴とする、ツーリングシステム。
【請求項２２】
破片が、前記システムの、前記クロスレールが置かれているエリアに進入するのを防止する手段をさらに備える、請求項２０に記載のツーリングシステム。
【請求項２３】
前記エレメントがネジ部を備え、前記エレメントを調整する際に前記ネジ部を洗浄する手段をさらに備える、請求項２１または２２に記載のツーリングシステム。
【請求項２４】
前記タグ付け手段と併せて用いて、前記ピンの寿命履歴を記録する中央制御システムをさらに備える、請求項２１から２３のいずれか一項に記載のツーリングシステム。
【請求項２５】
前記中央制御システムが、前記ツーリングシステムの内部に配置される、請求項２４に記載のツーリングシステム。
【請求項２６】
前記中央制御システムが、前記ツーリングシステムから遠く離れた場所に配置される、請求項２４に記載のツーリングシステム。
【請求項２７】
ピンの割り当てを最適化してピンを最大限に利用するために前記寿命履歴に関する情報が用いられる、請求項２４から２６のいずれか一項に記載のツーリングシステム。
【請求項２８】
前記エレメントの相対的長手方向位置を調整する手段にまたは別個の走査台に配置された前記タグ付け手段を読み取る読取装置をさらに備える、請求項２１から２７のいずれか一項に記載のツーリングシステム。
【国際調査報告】
2008525203.tif 000024
2008525203.tif 000025
2008525203.tif 000026
2008525203.tif 000027